Podtech/llm-jp-corpus-v4-ja_patent huggingface dataset:
(57)【要約】【課題】  熱放散効果を高めることができる熱放散パイプを提供する。【解決手段】  両端が封閉状である中空の金属パイプ（１０）を有し、該金属パイプ（１０）の内壁に銅からなる焼結顆粒（１１）が焼結されると共に、金属網（１２）が設けられ、該金属パイプ（１０）の内部に作動液が充填されることを特徴とする。【選択図】  図１
0003102764.tif 000002
【実用新案登録請求の範囲】
【請求項１】
両端が封閉状である中空の金属パイプ（１０）を有し、該金属パイプ（１０）の内壁に銅からなる焼結顆粒（１１）が焼結されると共に、金属網（１２）が設けられ、該金属パイプ（１０）の内部に作動液が充填されることを特徴とする熱放散パイプ。
【考案の詳細な説明】
【技術分野】
【０００１】
本考案は、特に熱放散効果を高めることができる熱放散パイプに関するものである。
【背景技術】
【０００２】
近年、中央処理装置（ＣＰＵ）の能力が益々向上しており、従来のアルミ製の熱放散器では熱を十分に中央処理装置から放散させることができなくなってきたことから、現在では液冷式熱放散器が使用されている。
【０００３】
従来の液冷式熱放散器は通常ノートブック型コンピューターにおける中央処理装置の熱放散に使用され、又、この熱放散器は金属製の本体を有し、該本体の一端に中央処理装置が密接され、他端にファンが設けられると共に、中央処理装置とファンとの間における本体上に熱伝導性能が本体より優れる金属からなる熱放散パイプが設けられ、該熱放散パイプの内部に冷却液が充填され、中央処理装置のほうにおける冷却液が熱を吸収することによって蒸気になり、該蒸気を熱放散パイプの内壁に沿ってファン側へ移動拡散させると共に、再び作動液に凝結させて、中央処理装置側へ流動することにより、熱放散循環を行う。
【考案の開示】
【考案が解決しようとする課題】
【０００４】
しかしながら、上記従来の構成では蒸気分子を熱放散パイプの内壁に沿ってファン側へ移動拡散させる効果に優れないため、更に改良する必要がある。
【０００５】
そこで、案出されたのが本考案であって、熱放散効果を高めることができる熱放散パイプを提供することを目的としている。
【課題を解決するための手段】
【０００６】
本願の請求項１の考案は、両端が封閉状である中空の金属パイプ（１０）を有し、該金属パイプ（１０）の内壁に銅からなる焼結顆粒（１１）が焼結されると共に、金属網（１２）が設けられ、又、該金属パイプ（１０）の内部に作動液が充填されることを特徴とする熱放散パイプ、を提供する。
【考案の効果】
【０００７】
本考案は上記の課題を解決するものであり、金属パイプの内壁に焼結顆粒と金属網が設けられることにより、金属パイプの内部における蒸気が毛細管現象によって、速やかにファン側へ移動拡散されるので、熱放散効率をより高めることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る熱放散パイプの一部分解斜視図であり、図２は本考案に係る熱放散パイプの一部断面図であり、図３は本考案に係る熱放散パイプの使用状態を示す断面図である。
【００１０】
図１及び図２に示すように、本考案に係る熱放散パイプは両端が封閉状である中空の金属パイプ（１０）を有し、該金属パイプ（１０）の内壁に銅からなる焼結顆粒（１１）が焼結されると共に、金属網（１２）が設けられ、又、該金属パイプ（１０）の内部に作動液が充填される。
【００１１】
本考案に係る熱放散パイプを製作する際、先ず金属プレートの一側面に焼結顆粒（１１）を焼結させると共に、金属網（１２）が設けられ、更に、該焼結顆粒（１１）を有する金属プレートと金属網（１２）とを一緒に金属パイプ（１０）に捲きこむと共に、該両端を封閉させた後、その一端に金属パイプ（１０）の内部空気を吸出すため吸気口が形成されると共に、やや真空になた金属パイプ（１０）の内部に作動液を充填させ、最後に該吸気口を封閉させる。
【００１２】
又、図３に示すように、本考案に係る熱放散パイプを使用する際、金属パイプ（１０）の一端に中央処理装置（２０）が密接されると共に、他端にファン（３０）が設けられ、中央処理装置（２０）側における作動液が熱を吸収することによって蒸気になり、該蒸気は金属パイプ（１０）の内壁における焼結顆粒（１１）と金属網（１２）によって毛細管現象が発生されることにより、速やかにファン（３０）側へ拡散され、再び作動液に凝結して、中央処理装置（２０）側へ流動するので、熱放散効率をより高めることができる。
【産業上の利用可能性】
【００１３】
本考案は上記の構成を有するので、金属パイプの内壁に焼結顆粒と金属網が設けられることにより、金属パイプの内部における蒸気が毛細管現象によって、速やかにファン側へ移動拡散されるので、熱放散効率をより高めることができる。
【図面の簡単な説明】
【００１４】
【図１】本考案に係る熱放散パイプの一部分解斜視図である。
【図２】本考案に係る熱放散パイプの一部断面図である。
【図３】本考案に係る熱放散パイプの使用状態を示す断面図である。
【符号の説明】
【００１５】
１０        金属パイプ
１１        焼結顆粒
１２        金属網
２０        中央処理装置
３０        ファン  
【図１】
0003102764.tif 000003
【図２】
0003102764.tif 000004
【図３】
0003102764.tif 000005
(57)【要約】      （修正有）【課題】本考案は買い物カートハンドルに握り型ブレーキを設置し、安全かつ速やかに停止するためのブレーキである。【解決手段】本考案は買い物カートの両ハンドルに握り型ブレーキを設置し、前後輪を停止させるためのブレーキである。自転車と同類の握り型ブレーキを握ると前後輪に（前後輪どちらか片方でもよい）ゴムのクッションがあたり止まる。カートの移動中の安全かつ速やかに停止するためのブレーキである。【選択図】図１
0003102770.tif 000002
【実用新案登録請求の範囲】
【請求項１】
百貨店やスーパーなどにある、買い物客に店側が提供する買い物カートのハンドルに自転車と同じ握り型ブレーキを設置し、安全かつ速やか停止をするためのブレーキ
【考案の詳細な説明】
【技術分野】
【０００１】  本考案は、ハンドルに握り型ブレーキを設置した、買い物カートに関するものである。
【背景技術】
【０００２】  百貨店やスーパーのカートには今まで停止機具が設置されてなかった
【考案の開示】
【考案が解決しようとす課題】
【０００３】  移動中のカートの安全かつ速やかな停止
【課題を解決するための手段】
【０００４】  本考案は、買い物カートに自転車と同じ型の握り型ブレーキを設置
【考案の効果】
【０００５】  カートの安全かつ速やかなる停止により、カート同士の接触や人との接触をさけ怪我の防止にもなり安全と快適な買い物に役立つ
【考案を実施するための最良の形態】  カートの両ハンドルに自転車と同類の握り型ブレーキを設置し、ブレーキを握ると前後輪に（前後輪どちらか片方でもよい）ゴムのクッションがあたり止まる
【図面の簡単な説明】
【０００６】
【図１】図はカートのハンドル部分である  ハンドルと下のレバーを一緒に握ることによりブレーキがかかる
【図１】
0003102770.tif 000003
(57)【要約】【課題】手紙を受け取った読み手が、開封時に封筒とともに便箋を切断することで自らその状態を変化させ、手紙を開封する楽しみをさらに豊かなものとするレターセットを提供する。【課題を解決するための手段】書き手が便箋３のメッセージ欄Ａ４とメッセージ欄Ｂ５に、開封時にそれぞれが分割されることを想定してメッセージを書く。次に、四つ折りにした便箋３を封筒１に入れ、封をする。手紙を受け取った読み手は、封筒１の切断指示線２に従って、はさみ７で中に収められている便箋３ごと封筒１を切断し、開封する。その結果、封筒１は、半分の封筒６に分割され、同時に便箋３は、メッセージ欄４が２枚と、メッセージ欄５が１枚に分割される。【選択図】図３
0003102731.tif 000002
【実用新案登録請求の範囲】
【請求項１】
封筒を切断して開封する時に、同時に中に収められている便箋も切断され、便箋の形に変化を与えるレターセット
【考案の詳細な説明】
【考案の詳細な説明】
【技術分野】
【０００１】本考案は、封筒の開封のための切断箇所を中に収められている便箋を同時に切断する箇所に指示することで、開封と同時に便箋が切断されるようにしたものである。
【背景技術】
【０００２】従来のレターセットでは、封筒は便箋がばらばらにならないようにまとめ、また汚れ等から守り、書き手が収納した状態を保って届けることを目的とし、開封時は中に収められている便箋を切断しないように、折り畳まれた便箋に対してひとまわり大きな封筒となっていた。そのため、読み手は便箋の状態を保つことに注意をして封筒の端を切断する。
【考案が解決しようとする課題】
【０００３】従来のように、便箋の状態を保ったまま読み手に届けることのみを目的にするのではなく、手紙を受け取った読み手が、開封時に封筒とともに便箋を切断することで自らその状態を変化させ、手紙を開封する楽しみをさらに豊かなものとするレターセットを提供する。
【課題を解決するための手段】
【０００４】本考案は、封筒に収納したときに中で便箋が動かずに収まるような寸法の、例えば図１、図２で表す封筒１と便箋３で構成される。使い方としては、まず書き手が便箋３のメッセージ欄Ａ４とメッセージ欄Ｂ５に、開封時にそれぞれが分割されることを想定してメッセージを書く。次に、四つ折りにした便箋３を封筒１に入れ、封をする。手紙を受け取った読み手は、封筒１の切断指示線２に従って、はさみ７で中に収められている便箋３ごと封筒１を切断し、開封する。その結果、封筒１は、半分の封筒６に分割され、同時に便箋３は、メッセージ欄Ａ４が２枚と、メッセージ欄Ｂ５が１枚に分割される。さらに上記の封筒１と便箋３に限らず、便箋の大きさや折り方封筒の切断指示線の入れ方等によって、開封時の便箋の分割される数や形状は様々である。例えば図５や図６に表すような個性的なデザインも可能である。
【考案の効果】
【０００５】封筒を開封する時に必ず切断する箇所を変えるだけで、読み手の開封する期待感や想像をより豊かなものにすることができる。例えば、招待状に使用するのならば、メッセージ欄Ａにチケット、地図、メッセージ欄Ｂに案内を記せば、開封時に３つに分かれて、半分の封筒にチケットと地図を入れて持ち運ぶということも可能だろう。書き手が読み手の意志を想像したり、自らが手紙の状態の変化に関わることで、手紙という物の持つ人と人をつなぐ効果をより豊かなものとすることができると考えられる。
【図面の簡単な説明】
【図１】封筒の展開図の一例である。
【図２】便箋の平面図の一例である。
【図３】使用方法の説明図である。
【図４】封筒切断時の図である。
【図５】本考案のレーターセットの他の一例を示す図である。
【図６】本考案のレーターセットの他の一例を示す図である。
【符号の説明】
１  封筒
２  切断指示線
３  便箋
４  メッセージ欄Ａ
５  メッセージ欄Ｂ
６  半分の封筒
７  はさみ
【図１】
0003102731.tif 000003
【図２】
0003102731.tif 000004
【図３】
0003102731.tif 000005
【図４】
0003102731.tif 000006
【図５】
0003102731.tif 000007
【図６】
0003102731.tif 000008
(57)【要約】【課題】今まで皆無であった学生服等のユニフォームの分野に、着用者の夜間の安全性を向上させる、反射シートを使用したエンブレム・ワッペンを提供する事。【解決手段】意匠を凝らした形の反射シートと人工皮革にシリコーンゴムまたは、ポリウレタンを組み合わせる事により、落ち着いた格調あるデザインのエンブレムを作成する事が出来るので、学生服等のユニフォームの付属として採用され易くなる為、着用者の夜間歩行時等の安全性を向上させる事が出来る。【選択図】  図３
0003102733.tif 000002
【実用新案登録請求の範囲】
【請求項１】
シリコーンゴムまたは、ポリウレタンを人工皮革と組み合わせて作る学生服等の、ユニフォームに縫い付けまたは、接着して固定するエンブレムであって、反射シートをエンブレムの素材として使用する事により、夜間の歩行の際の安全性を高める事が、容易である事を特徴とする反射エンブレム。
【考案の詳細な説明】
【考案の詳細な説明】
【技術分野】
【０００１】本考案は、学生服等のユニフォームに縫い付けまたは、貼り付けて使用するワッペン・エンブレムパーツに属する。
【背景技術】
【０００２】  従来の考案や発明を見てみると、学生服等のユニフォームには、夜間の歩行等の際に、安全性を高める反射シート等の素材を使用したエンブレム・ワッペン等が縫い付け、または貼り付けて固定されているものが皆無である。その理由としては、落ち着いたデザイン性を要求されるユニフォームのエンブレム・ワッペン等には素材として金モールや刺繍などが主流とされ、反射シート等は不向きと見なされてされている部分が大きい。学生服等のユニフォームは、落ち着いた風合いに仕上げる事が好まれるため暗い色彩のものが多く、夜間の歩行時は自動車等からの視認が難しく危険である。
【考案が解決しようとする課題】
【０００３】  そこで反射シートを素材として使用していても、落ち着いた格調あるデザインを有するエンブレム・ワッペンを考案しようと考えた。
【課題を解決するための手段】
【０００４】  本考案は以上の課題を解決するために、自動車のヘッドライト等の光の反射性に優れた反射シートを、抜き型等で抜く事により、様々な意匠を凝らした形に仕上げ、またエンブレム・ワッペンの素材として主流である人工皮革に、貼り付け固定する事によって落ち着いた格調あるデザインに仕上げる事が出来、夜間の歩行時等の安全性を高める事が出来る。
【考案実施の形態】
【０００５】  以下、本考案の反射エンブレムの実施例を説明する。ただし、これはいうまでもなく単に説明用のもので考案思想の制限または限定を意味するものではない。なお、本考案の反射エンブレムの素材としては反射シートと人工皮革にＲＴＶ型シリコーンゴムまたは、ポリウレタンとの組み合わせのものでも良いし、ミラブル型シリコーンゴムと反射シートの組み合わせでも可能である。また、本考案では学生服等のユニフォームでの使用例を説明したが、この他にも学生カバン等のユニフォーム雑貨の各所で採用する事が出来る。
【０００６】  図１は本考案の反射エンブレムの実施例を示す正面図。１は反射エンブレム、１ａは反射シートを素材として使用した装飾部、１ｂは縫い付け部。
【０００７】  図２は図１の反射エンブレムの別の形状での実施例を示した正面図。１ｃは反射シートを素材として使用した装飾部、１ｄは接着部。
【０００８】  図３は本考案の反射エンブレムを学生服のブレザーに縫い付けた状態を示す斜視図。２は縫い付ける衣服の例としてのブレザー。
【考案の効果】
【００１０】  本考案の反射エンブレムにより、学生服等の暗い色調のユニフォームであっても、夜間の歩行時等の安全性を向上させる事が出来る。また、反射シートを使用していても、その意匠を凝らす事により、格調高い落ち着いたデザインに仕上げる事が出来るので、ユニフォームの付属として採用し易くなる。
【図面の簡単な説明】
【図１】図１は本考案の反射エンブレムの実施例を示す正面図。
【図２】図２は本考案の反射エンブレムの別の形状での実施例を示す正面図。
【図３】図３は本考案の反射エンブレムをブレザーに縫い付けた状態を示す正面図。
【符号の説明】
１      −反射エンブレム
１ａ    −反射シートを使用した装飾部
１ｂ    −縫い付け部
１ｃ    −反射シートを使用した装飾部
１ｄ    −接着部
２      −ブレザー
【図１】
0003102733.tif 000003
【図２】
0003102733.tif 000004
【図３】
0003102733.tif 000005
(57)【要約】【課題】カメラの付いた携帯電話端末機でテレビ電話をかけるときその他必要な場合に簡便迅速に身だしなみを点検・確認できるようにする。【解決手段】携帯電話端末機１に手鏡２を付加する。【選択図】  図２
0003102739.tif 000002
【実用新案登録請求の範囲】
【請求項１】
身だしなみのための手鏡を付加した携帯電話端末機
【考案の詳細な説明】
【考案の詳細な説明】
【考案が解決しようとする課題】
【０００１】カメラの付いた携帯電話端末機でテレビ電話をかける時その他必要な場合に身だしなみを点検・確認する場合、手鏡を別に所持携行する必要があった。
【課題を解決するための手段】
【０００２】携帯電話端末機に手鏡を付加した。
【考案の効果】
【０００３】携帯電話端末機に手鏡を付加したことにより、同電話機を使用するとき簡便迅速に身だしなみの点検・確認ができる。
【図面の簡単な説明】
【図１】携帯電話端末機に手鏡を付加した状態を示した側面図である。
【図２】付加した手鏡を使用するときの状態を示した図である。
【図３】携帯電話端末機を使用するときの状態を示した図である。
【図１】
0003102739.tif 000003
【図２】
0003102739.tif 000004
【図３】
0003102739.tif 000005
(57)【要約】      （修正有）【課題】枝の誘引及び矯正の際に手を傷めずにスピーディーに作業ができる矯正フックを提供する。【解決手段】一本の本体の両サイドにＳ字型を有するフックを使用することにより、課題を解決する。【選択図】図１
0003102721.tif 000002
【実用新案登録請求の範囲】
【請求項１】
１本の本体（金属及び化学製品）の両サイドにＳ字型の形状を有し、枝を離したり、寄せたりできる器具。
【考案の詳細な説明】
【技術分野】
【０００１】本考案は枝の誘引及び矯正に用いるフックに関するものである。
【背景技術】
【０００２】紐で結んで処理をしていた。
【考案の開示】
【考案が解決しようとする課題】
【０００３】バラ等とげの多い植物の枝の誘引及び矯正をし、紐で結ぶのは大きなものになると２人がかりで大変手間のかかる作業でしたが、「枝の誘引及び矯正フック」を使用することにより１人で簡単にしかも早く処理ができる。
【課題を解決するための手段】
【０００４】本考案は、１本の本体の両サイドにＳ字型の形状を有するフックを使用することにより解決する。
【考案の効果】
【０００５】「枝の誘引及び矯正フック」を使用することにより、手を傷つけずスピーディーに誘引及び矯正をすることができ、紐と比べて美観的にも優れ、何度でも使用が可能。
【考案を実施するための最良の形態】
【０００６】「枝の誘引及び矯正フック」は枝と枝、枝と支柱、枝とフェンスなどを寄せたり離したりするために使用する。また、器具を連結することにより長い距離をフォローすることも可能。
【実施例】
【０００７】以下、添付図面に従って実施例を説明する。１はこの部分に枝等を挟むことにより、距離を離すことができ、２に挟むことにより距離を近づけることができる。３は本体（金属及び化学製品）。
【産業上の利用可能性】
【０００８】手を傷めず、簡単に誘引、矯正が出来るため、女性１人でも短時間に作業をこなすことができる。
【図面の簡単な説明】
【０００９】
【図１】本考案の「枝の誘引及び矯正フック」を示した平面図である。
【符号の説明】
１    距離を離すときに枝及び対象物を入れるところ
２    距離を寄せるときに枝及び対象物を入れるところ
３    本体
【図１】
0003102721.tif 000003
【手続補正書】
【提出日】平成16年1月27日(2004.1.27)
【手続補正１】
【補正対象書類名】実用新案登録請求の範囲
【補正対象項目名】全文
【補正方法】変更
【補正の内容】
【実用新案登録請求の範囲】
【請求項１】
金属及び化学素材で作られた本体の両サイドにＳ字型の形状を有し、枝を離したり寄せたりできる器具。
(57)【要約】      （修正有）【課題】通常のトラックの運用、車両保安基準及び道路交通法の遵守を妨げることなく、作業者用安全帯用の親綱を張設できるようにする。【解決手段】安全帯５用支柱１，２を、伸展、収縮及び折りたたみ可能な構造とし、いかなる場合も安全帯支柱１，２がトラック荷台床面を占拠したり、車外（荷台あおりの外側）に突出しないようにすることで、法で定める安全帯用設備の利用を実現する。【選択図】図１
0003102725.tif 000002
【実用新案登録請求の範囲】
【請求項１】
トラック（貨物自動車）上における、高所作業者の安全帯のための親綱を、トラック荷台の側面「あおり」の前後両端方向に沿って張り渡せる事を特徴とする、トラック高所作業用安全帯取付支柱。
【請求項２】
固定ピンの抜き差しにより、伸展及び収納時の固定が可能な、多段式構造の請求項１に記載のトラック高所作業用安全帯取付支柱。
【請求項３】
固定ピンの抜き差しによる、斜め保持支柱の折りたたみによって支柱全体を、トラック荷台の側面「あおり」の幅内で収納が可能な、請求項１に記載のトラック高所作業用安全帯取付支柱。
【考案の詳細な説明】
【技術分野】
【０００１】  本考案は、トラック荷台上の高所作業者用安全帯のための、親綱を張設する安全帯取付支柱に関する。
【背景技術】
【０００２】  法律（労働安全衛生法）によれば、本来高さ２メートル以上の箇所で作業を行う場合においては、墜落等による危険の防止が義務づけられており、安全帯等の取付設備等も義務づけられている。本法は、トラック荷台上における作業であっても例外ではないが、これに対する対策は全く取られていないのが現状である。
【安全労働衛生法】
労働安全衛生規則  第九章  第一節
【考案の開示】
【考案が解決しようとする課題】
【０００３】  従来、その必要性は周知の事実にも関わらず、トラック荷台上の高所作業者のための安全帯取付設備等が施されていない最大の理由は、固定的な安全帯取付設備が、通常の（高所作業時以外）トラック運用の支障となることに起因している。本考案は、トラック荷台上における高所作業中の作業者には、安全帯用親綱を提供し、平常時の荷役作業を含むトラック運用には支障をきたさない構造の安全帯取付支柱を提供することを目的とする。
【課題を解決するための手段】
【０００４】  請求項１の考案の支柱は、トラック荷台の側面「あおり」の前後方向に沿って両端部（車両進行方向前後）に取り付けられ、両支柱間に安全帯用親綱を張設することを可能にする。両支柱はトラック荷台の側面「あおり」の左右いずれか一方に取り付けることにより、トラックの荷積み／荷卸作業が他の一方側面から可能となる。【０００５】  請求項２の考案の支柱は、多段式構造の支柱における固定ピンの抜き差しにより、伸び縮み可能な構造を有する支柱の進展及び収納時の固定を可能にする。このことにより、高所作業中は支柱を必要な高さに固定して安全帯用親綱を張設することが可能であると共に、作業終了時は必要な高さに縮めて固定することで、トラックの通常運行の支障を取り除くことができる。これは、従来安全対策がなおざりになっていた要因の一つである、ユニック装備トラックの通常作業におけるユニック旋回時の、不要構造物との干渉という問題を解決する。またこの機能は、請求項３の考案の支柱における収納時の長さ調整にも利用される。【０００６】  請求項３の考案の支柱は、固定ピンの抜き差しにより、斜め保持支柱を折りたたみ、荷台の「あおり」の幅（厚み）内で支柱全体を収納が可能とする。これを後方支柱に用いれば、従来安全対策がなおざりになっていた要因の一つである、トラック荷台床面内に不要構造物（通常時）を存在させたくないという問題を解決する。更に、本考案の支柱は「あおり」の幅（厚み）内で、「あおり」上面部に沿って収納され、荷台の内側にも外側にもはみ出さないため、「あおり」より外側への構造物の突出を禁じている車両保安基準も満足する。
【考案の効果】
【０００７】  請求項１、請求項２及び請求項３の考案によれば、本来のトラックの運用形態を阻害することなく、トラック荷台上における高所作業者のための安全帯取付設備を提供できる。本考案によって、従来から求められていたにも関わらず放置されていた、建築現場等におけるトラック荷積み／荷卸作業者の安全性は飛躍的に向上する。
【考案を実施するための最良の形態】
【０００８】  図１は、本考案の第１の実施の形態に係る全体構成を示す図である。トラック荷台の一方の側面に沿って、運転席後部の適当な位置に、溶接等適当な方法で取り付けた多段式の前方支柱（１）及び荷台あおり（７）の上面に溶接等適当な方法で取り付けた後方支柱（２）は必要な長さに伸ばした状態に、固定ピン（３）によって保持される。それぞれの支柱先端に予め備えられた張設用の金具に、親綱（４）を適当な手段で引っ掛けることにより、作業者の安全帯（５）が保持可能となる。この状態において、トラック荷台に積まれた高さのある積荷に対する玉がけ作業等の高所作業が安全となる。安全帯（５）はリール式安全帯等を用いることにより、作業者は、親綱に沿って自由な行動が可能である。後方支柱（２）は、斜め保持支柱（６）によって斜め方向より保持されており、作業者が墜落した場合の後方支柱（５）の根元に加わる曲げモーメントを軽減する役目をしている。【０００９】  図２によって、前方支柱（１）及び後方支柱（２）の伸展又は収納方法を説明する。両支柱は、適当な内、外径の組み合わせによる多段式のパイプ構造を用いて伸縮を可能である。伸展の場合、内，外筒を貫通する固定ピン（３）で所定の長さで保持することができる。後方支柱（２）の場合は、所定の長さに伸ばして固定ピン（３）で保持後、折りたたまれていた斜め保持支柱（６）を伸ばし、後方支柱（２）を垂直に立てた状態で、斜め保持支柱（６）も固定ピン（３）で保持する。高所作業終了後の収納の場合は、前述と同様な工程で、固定ピン（３）を抜いて収縮又は折りたたみ完了後に再び固定ピン（３）を用いて収納位置での固定を行う。【００１０】  図３は、前方支柱（１）及び後方支柱（２）の完全収納状態を示し、前方支柱（１）はトラックの運行上支障のない範囲の高さに収納される。後方支柱（２）も垂直部分を収納したまま、斜め保持支柱（６）を折りたたむことにより、あおり（７）の上部に収納される。あおり（７）の幅（厚み）の範囲内で収納されるので、斜め保持支柱（６）が収納されたままも荷役中のおあり（７）の揚げ降ろしには支障がない。また図４に示すように、後方支柱（２）が荷台床面を占領したり、あおり（７）より外側にはみ出すこともないので、車両運行上の問題もない。
【産業上の利用可能性】
【図面の簡単な説明】
【００１１】
【図１】本考案の第１の実施の形態に係る全体構成図である。
【図２】支柱の伸展・収納過程を示した図である。
【図３】支柱収納状態を示した図である。
【図４】トラック後面からみた支柱収納状態を示す図である。
【符号の説明】
１  前方支柱
２  後方支柱
３  固定ピン
４  親綱
５  安全帯
６  斜め保持支柱
７  荷台「あおり」
【図１】
0003102725.tif 000003
【図２】
0003102725.tif 000004
【図３】
0003102725.tif 000005
【図４】
0003102725.tif 000006
(57)【要約】【課題】遊技機を取り付けた状態におけるメダル受け皿の高さを変えることなく、遊技者の膝がメダル受け皿に当たらないようにして、楽に遊技を行えるようにしたスロットマシンを提供する。【解決手段】筐体２の前面下部に入賞時や清算時にメダルを払い出すメダル払出口９が開口し、そのメダル払出口９の下方を囲むように前方に張り出した状態でメダル受け皿１０が設けられたスロットマシン１において、前記メダル受け皿１０の外面下部１０ａを内側に凹ませて、遊技中の遊技者の膝とメダル受け皿１０との間に比較的広めの隙間Ｓが生じるようにする。【選択図】図３
0003102726.tif 000002
【実用新案登録請求の範囲】
【請求項１】
筐体の前面下部にメダル受け皿が設けられたスロットマシンにおいて、前記メダル受け皿の外面下部を内側に凹ませたことを特徴とするスロットマシン。
【考案の詳細な説明】
【技術分野】
【０００１】
この考案は、筐体の前面下部にメダル受け皿が設けられたスロットマシンに関する。
【背景技術】
【０００２】
スロットマシンは、筐体前面の中央よりも少し上寄りの位置に複数の回転ドラムの図柄を表示する表示部があり、その下方にスタートレバー、ストップボタン等の各種操作具があり、さらにその下方に位置する筐体前面の下端部に前方に突出させた状態でメダル受け皿が設けられている。筐体内部に設置されるメダル払出装置との関係上、メダル受け皿は上記位置に配置せざるを得ない。
【０００３】
ところで、スロットマシンは、床面に固定された枠体に、表示部が椅子に座った遊技者の目の高さとほぼ同じになるように取り付けられる。したがって、メダル受け皿は遊技者の膝のすぐ上に位置するようになる。このような状況では、足を組むと膝が受け皿に当たってしまうため、自由に姿勢を変えることができず、窮屈なおもいをしながら遊技を行わなければならない。特に、体格の大きい人の場合、普通に椅子に座っている状態でも膝が受け皿に当たることがある。
【０００４】
この問題点の解決策として、遊技者がゆったりと遊技できるように、遊技機を取り付ける枠体の下部が内側に傾斜するように形成することにより、遊技者の足元を広くした遊技設備が特許文献１に開示されている。
【特許文献１】特開２００２−６６１０１号公報
【考案の開示】
【考案が解決しようとする課題】
【０００５】
上記特許文献１に記載の遊技設備によれば、遊技者の足を動かせる領域が広くなり、遊技中の体勢保持がかなり楽になると思われる。しかしながら、膝がメダル受け皿に当たることには変わりなく、やはり足を組む等の姿勢を自由にとることができないので、長時間の遊技は疲れることが予想される。
【０００６】
そこで本考案は、遊技機を取り付けた状態におけるメダル受け皿の高さを変えることなく、遊技者の膝がメダル受け皿に当たらないようにして、楽に遊技を行えるようにすることを課題としている。
【課題を解決するための手段】
【０００７】
上記課題を解決するために、本考案は次の構成とした。すなわち、本考案にかかるスロットマシンは、筐体の前面下部にメダル受け皿が設けられたスロットマシンにおいて、前記メダル受け皿の外面下部を内側に凹ませたことを特徴としている。
【考案の効果】
【０００８】
本考案の構成とすれば、メダル受け皿と遊技者の膝との間の空間が広くなるので、足を組んでも膝がメダル受け皿に当たらないようになり、自由に姿勢を変えて楽に遊技することができる。
【考案を実施するための最良の形態】
【０００９】
以下、本考案を適用したスロットマシンの実施例について説明する。
【実施例１】
【００１０】
図１に示すスロットマシン１は、筐体２の前部が開閉可能な前扉３になっており、その前扉３の前面中央よりも少し上寄りの位置に表示窓４が形成されている。表示窓４には、筐体２に収容されている３個の回転ドラム５，５，５の外周面に描かれている複数の図柄のうち３個ずつが表示される。表示窓４の下側には、遊技用のメダルを投入するメダル投入口６、各回転ドラムを一斉に回転させるスタートレバー７、各回転ドラムを個別に停止させるストップボタン８，８，８等が設けられている。さらに、その下方の前扉３下端部には、入賞時や清算時にメダルを払い出すメダル払出口９が開口し、そのメダル払出口９の下方を囲むように前方に張り出した状態でメダル受け皿１０が設けられている。
【００１１】
メダル受け皿１０は、図２に示すように、外面下部１０ａを内側に凹ませた形状に成形されている。
【００１２】
図３は本実施例のスロットマシンの取り付け状態を表している。スロットマシン１は床面に固定して設置された枠体１１に取り付けられる。その取り付け状態において、座席１２に座った遊技者１３の目の高さと、スロットマシン１の表示窓４の高さとがほぼ同じになるよう設定されている。また、平均的な体格の遊技者の場合、膝よりも少し上にメダル受け皿１０が位置するようになっている。メダル受け皿１０の外面下部の中央部１０ａは内側に凹んでいるので、実際には、膝とメダル受け皿１０との間に比較的広い隙間Ｓが形成される。このため、足を組むことが可能であり、また足を汲み替えるときに膝がメダル受け皿１０に当たることもない。
【産業上の利用可能性】
【００１３】
この考案によるメダル受け皿の形状は、パチンコ遊技機の玉受け皿にも適用できる。
【図面の簡単な説明】
【００１４】
【図１】スロットマシンの外観斜視図である。
【図２】図１におけるＡ矢視図である。
【図３】スロットマシンの取り付け状態を示す図である。
【符号の説明】
【００１５】
Ｓ      隙間
１      スロットマシン
２      筐体
３      前扉
４      表示窓
５      回転ドラム
６      メダル投入口
７      スタートレバー
８      ストップボタン
９      メダル払出口
１０    メダル受け皿
１０ａ  メダル受け皿の外面下部の中央部
１３    遊技者
【図１】
0003102726.tif 000003
【図２】
0003102726.tif 000004
【図３】
0003102726.tif 000005
(57)【要約】【課題】  本考案は、教材本体が立体的に動き、視覚に働きかけることによって、英語初心者がアルファベットを楽しく、しかも効果的に学べるようにするものである。【解決手段】  本考案は、教材本体をあひるの顔に見立て、本体を曲げない状態ではあひるの口１の上にアルファベットの大文字が見える様になっている。折れ線２で折り曲げることにより、その口１が開き、中からそのアルファベットの小文字３が飛び出すという仕掛けで、その口１を開閉させることによって、大文字と小文字が交互に見えるので、英語初心者がアルファベットを覚える際に役立つ。また、本体の裏面図４には、そのアルファベットを使用した単語とそのイラストが描かれているので、そのアルファベットの大文字・小文字と関連付けて学ぶとができる。【選択図】  図２
0003102729.tif 000002
【実用新案登録請求の範囲】
【請求項１】
本体を手で動かすことにより、文字が飛び出たり隠れたりという特徴を持ち、視覚効果に訴えることで、子供達に楽しく文字を学ばせる為の学習器具。
【考案の詳細な説明】
【技術分野】
【０００１】  本考案は、動くという特徴により、視覚効果に訴える文字学習用器具に関するものである。
【背景技術】
【０００２】  英語の初心者にとって、アルファベットは一番最初に習得するものであるが、同じ発音の大文字と小文字が関連付けて覚えられないということがあった。
【考案の開示】
【考案が解決しようとする課題】
【０００３】  英語の初心者にとっては入口であるアルファベットの習得を楽しく、しかも正しく学ぶことは大変重要である。従って、動くということ、また同じ位置で大文字と小文字が確認できるということで、視覚に訴え、効果的にアルファベットを学ぶことが可能となり、前述の欠点を解決しようとするものである。
【課題を解決するための手段】
【０００４】  本考案は、本体を真直ぐにした状態では、あひるのイラストの嘴上に大文字が見え、両手で本体を折り曲げることで、嘴の下に隠れていた小文字が前に飛び出すという仕掛けを用い、人間の視覚と記憶に訴えかけ、問題点を解決している。
【考案の効果】
【０００５】  上述の様に、本考案の文字学習用器具は、大文字の下から小文字が現われるという点で、英語の初心者にとって、同じ発音の大文字と小文字を関連付けて覚えられるばかりではなく、その動きとカラフルな色使いによって視覚に働きかけ、アルファベットのイメージをより強く植えつけ、覚えやすくする。
【考案を実施するための最良の形態】
【０００６】  本考案の本体の両端を持つ。本体を曲げずにに真直ぐ持つと、あひるの嘴部にアルファベットの大文字が見える。次に本体を真ん中で折るようして曲げる。この動きによって、あひるの口から小文字が飛び出してくる。この、本体を平らにしたり、折り曲げたりという動作から、大文字が見えたり、そこから小文字が飛び出てきたりという視覚効果によって、生徒が大文字とその小文字を覚える手助けとなる。また、本体裏面に、そのアルファベットを使った単語と、そのイラストを配置してあるので、生徒はそれらを関連付けて学習することができる。
【実施例】
【０００７】  以下、添付図面に従って、一実施例を説明する。１は、本考案に設けられたあひるの嘴部で、嘴が閉じている時はアルファベットの大文字が見えている。２の折れ線で折り曲げることによって、あひるの口の中から３の小文字の部分が飛び出してくる。【０００８】  教師はまず、図１の状態を生徒に見せ、その文字の発音をする。次に、図２の様に２の位置で折り曲げ、口の中から現われた小文字３を見せながら、前述の様にその文字を発音することで、その大文字と小文字が同一のものであると生徒に認識させることができる。【０００９】  図４は、本考案の裏面で、正面にあるアルファベットにちなんだ単語と、その絵が描かれているので、生徒はそのアルファベットとそれを使った単語とを関連付けて覚えることができる。
【図面の簡単な説明】
【００１０】
【図１】本考案の文字学習用器具の本体を曲げずに持った状態の一実施例を示す正面図である。
【図２】本考案本体を折り曲げた際に、あひるの嘴部が開き、中から文字が飛び出してくる様の一実施例を示す斜視図である。
【図３】本考案本体を折り曲げた際に、あひるの嘴部が開き、中から文字が飛び出してくる様の一実施例を示す正面図である。
【図４】本考案本体の一実施例を示す裏面図である。
【符号の説明】
【００１１】１あひる嘴部
２折れ線
３小文字表示部
【図１】
0003102729.tif 000003
【図２】
0003102729.tif 000004
【図３】
0003102729.tif 000005
【図４】
0003102729.tif 000006
【手続補正書】
【提出日】平成16年2月13日(2004.2.13)
【手続補正１】
【補正対象書類名】実用新案登録請求の範囲
【補正対象項目名】全文
【補正方法】変更
【補正の内容】
【実用新案登録請求の範囲】
【請求項１】
あひるの顔に見立てたボードの中心部に開閉式の嘴を設け、その口腔内に内蔵されたアルファベットが、ボード本体の中心線に沿って４５度程折り曲げたり元に戻したりする動作によって、開閉する嘴の中から飛び出したり引っ込んだりして見え隠れするという特徴を持つ学習器具。
(57)【要約】      （修正有）【課題】動物の持つ躍動感や可愛らしさ、乗り物では迫力などを表現するマスコットつきスリッパを提供する。【解決手段】スリッパの甲、中敷、へりの部分に、動物や乗り物などの立体的なマスコットを付けることにより、動物の持つ躍動感や可愛らしさ、乗り物では迫力などを、表現する。【選択図】図２
0003102727.tif 000002
【実用新案登録請求の範囲】
【請求項１】
スリッパの甲の部分に、動物、乗り物、人気キャラクターなどのヌイグルミや模型で作ったマスコットをつける。
【請求項２】
スリッパの甲、中敷、へりの部分をあらかじめ、動物、乗り物、人気キャラクターなどのマスコット型に形成したものを、組みたてる。
【考案の詳細な説明】
【技術分野】
【０００１】本考案は、現在あるスリッパに立体的なマスコットを付ける、又は一体化させる。
【技術背景】
【０００２】従来は、動物、乗り物、キャラクターなどを表現する場合、プリントや刺繍をしていました。
【考案の開示】
【考案が解決しようとする課題】
【０００３】従来のプリントや刺繍は、２次元での表現なので、本来の動物のもつ躍動感や可愛らしさ、乗り物で言えば迫力、キャラクターでは、楽しさや可愛らしさに欠ける。物によっては、表現できずに味気のないものになってしまう事がある。
【課題を解決するための手段】
【０００４】スリッパの甲の部分に、動物、乗り物、キャラクターなどのヌイグルミや模型で作ったマスコットを付ける。又はスリッパの甲、中敷、へりの部分をあらかじめ、動物、乗り物、キャラクターなどの形に形成し、組み立てる。
【考案の効果】
【０００５】表現したい物が立体的になり、本来の躍動感や可愛らしさ、又は迫力感が表現できる。
【考案を実施するための最良の形態】
【０００６】通常あるスリッパの甲の部分に、立体的に形成されたマスコットを接着するか縫い付ける。又は、スリッパの甲、中敷、へりの部分をあらかじめ、動物や乗り物などの形に形成したものを組み立てる。
【産業上の利用可能性】
【０００７】
【図面の簡単な説明】
【０００８】
【図１】「マスコット付きスリッパを示した平面図である。」
【図２】「マスコット付きスリッパを示した左側面図である。」
【符号の説明】
【０００９】１スリッパ（甲）
２マスコット
３スリッパ（中敷）
４スリッパ（へり）
【図１】
0003102727.tif 000003
【図２】
0003102727.tif 000004
【手続補正書】
【提出日】平成16年1月29日(2004.1.29)
【手続補正１】
【補正対象書類名】実用新案登録請求の範囲
【補正対象項目名】全文
【補正方法】変更
【補正の内容】
【実用新案登録請求の範囲】
【請求項１】
スリッパの甲の部分に、ヌイグルミまたは模型で作ったマスコットを取り付けたスリッパ。
【請求項２】
スリッパの甲、中敷、へりの部分をマスコット型に形成したスリッパ。
(57)【要約】      （修正有）【課題】小型メジ入れ機により仕事の能率化を計り工期の短縮及び人件費の削減につなげコストダウンを計る。【解決手段】エヤーの力によりモルタルを挿入する。【選択図】図１
0003102723.tif 000002
【実用新案登録請求の範囲】
【請求項１】
エアーによりモルタルを押し出す小型メジ入れ機
【考案の詳細な説明】
【考案の詳細な説明】
宅地造成道路新設工事等に共なう、境界石、縁石、車道石、Ｌ型Ｕ字構等のメジを簡単に入れる事が出来る。
従来の施工方法では手間が係り能率が悪い為コストがかかった。
能率を上げる事によりコストの大幅な削減になる。
【産業上の利用分野】
【０００１】この考案は、上記の工事に共なう人件費の削減、工事の工期短縮等に大きなメリットがある。
【背景技術】
【０００２】従来は人がモルタルをダンゴ状にして、手で狭まに押し込んでメジを入れていた。
【考案が解決する課題】
【０００３】仕事が早く、製品を汚す事なく、人件費の削減によりコストダウンが計られる。
【課題を解決するための手段】
【０００４】エアーの力によりモルタルを押し出す挿入機
【作用】
【０００５】メジ入れに作う。
【実施例】
【０００６】図面のように小型メジ入れ機により施工する。
【考案の効果】
【０００７】工事現場において小型メジ入れ機があれば仕事の能率が上がり工期の短縮が計られ、又人件費の削減につながる。
【図面の簡単な説明】
【０００８】
【図１】  本考案の平面図  小型メジ入れ機の全体像。
【図２】  本考案の施工図  小型メジ入れ機によるモルタル挿入。
【図３】  付属金具、備品  モルタルが流れ出ない様にする押え金具。
【符号の説明】
【０００９】  １．小型メジ入れ機本体
２．小型メジ入れ機モルタル注入
３．押え金具
【図１】
0003102723.tif 000003
【図２】
0003102723.tif 000004
【図３】
0003102723.tif 000005
【手続補正書】
【提出日】平成16年1月26日(2004.1.26)
【手続補正１】
【補正対象書類名】実用新案登録請求の範囲
【補正対象項目名】全文
【補正方法】変更
【補正の内容】
【実用新案登録請求の範囲】
【請求項１】
エアーコンプレッサーが耐圧ホースを介して接続されたモルタル入れ容器とこのモルタル入れ容器の本体上部に有するエアーバックと前記耐圧ホース内の気圧を加圧する調整レバーとを備えた小型目地入れ機
【手続補正３】
【補正対象書類名】図面
【補正対象項目名】図１
【補正方法】変更
【補正の内容】
【図１】
0003102723.tif 000006
(57)【要約】      （修正有）【課題】有機性廃棄物処理装置において垂直攪拌軸に取り付ける、撹拌翼の空気噴出口の形状によって、噴出空気の平均化と穴詰まりを防ぐことが、醗酵促進化を計る手段の一つである。【解決手段】有機性廃棄物を醗酵させ有機堆肥に転換する為に垂直軸に取り付けられた撹拌翼3の下部パイプ4より噴出させる温水噴出口7を溝状にして、多数個、温風の流れ抵抗に比し順次並べたことを特徴とする有機廃棄物処理装置の撹拌翼の熱風噴出口。【選択図】図３
0003102722.tif 000002
【実用新案登録請求の範囲】
【請求項１】
有機性廃棄物を醗酵させ有機堆肥に転換する為に垂直軸に取り付けられた撹拌翼の下部パイプより噴出させる温風噴出口を溝状にして、多数個、温風の流れ抵抗に比し順次並べる。
【考案の詳細な説明】
【考案の詳細な説明】
【技術分野】
【０００１】  本発明は有機性廃棄物処理装置の有機性廃棄物を醗酵熟成させ有機堆肥に転換させる過程において、好気性微生物の繁殖を助ける為の空気を供給する空気噴出口である。
【背景技術】
【０００２】  既存する有機性廃棄物処理装置、図１では有機性廃棄物の醗酵を助ける為の熱源１と、有機性廃棄物内の好気性微生物の繁殖を助ける為のブロアー２、有機性廃棄物の切り返しの為の撹拌翼３が有り、その撹拌翼３の下部パイプ４の噴出口５より噴出する噴出空気によって有機性廃棄物と空気が混ざり合って、有機性廃棄物の醗酵を助長させるものである。
従来は図２で示されている空気の噴出口５が多数の円形穴で形成されています。有機性廃棄物が醗酵の過程で液状に成ってくると、図２撹拌翼３は矢視６の回転に伴ない泥濘化した有機性廃棄物は、この噴出口５の穴に付着、乾燥過程で固形化して、噴出口５の穴が詰まってきます。この噴出口５の穴の詰まりは、醗酵に必要とする空気を遮断して醗酵を著しく阻害して、醗酵乾燥を遅らせるたけではなく、腐敗の状況に追い込む危険性を持っています。
【考案が解决しようとする課題】
【０００３】  有機性廃棄物処理装置において垂直攪拌軸に取り付ける、撹拌翼の空気噴出口の形状
【考案が解決するための手段】
【０００４】  有機性廃棄物処理機において、垂直撹拌軸の撹拌翼に取り付ける空気供給口の穴詰まりを解消する為と平均した風量を確保する空気噴出口の形状を改良することにより解決する。
【課題を解決するための手段】
【０００５】すなわち請求項１の記載の有機性廃棄物を醗酵させ有機堆肥に転換する為に撹拌翼下側パイプより噴出させる噴出口を穴から溝状に改良して空気噴出口の詰まりを防ぐ考案です。
【考案実施の詳細】
【０００６】  以下本考案を図示により実施の形態に基づき説明する。図３に示す物は本考案の実施図である。図３の撹拌翼３の下部に取り付けられた空気流通パイプ４に開けられた空気噴出口７をパイプ４の側面に沿って溝状にして、多数個、温風の流れの抵抗に比し平均に各溝より空気が噴出するように長さを調節して順次並べる。
【考案の効果】
【０００７】従来の噴出口５は図４のパイプ断面図のように回転軸中心より送風される空気８はパイプ４先端の壁に当たり、順次パイプ先端に近い噴出口５の穴から外部へ吹き出します。有機性廃棄物処理装置の撹拌翼下のパイプ程度の長さですと、配管壁の圧損は影響せず、噴出空気の量は先端に近い穴ほど多く、根元に近いほど少なくなります。この場合パイプ４の根元の方が風圧は低くなり、根元に近い穴から詰まってゆきます。本考案による図３のような噴出口７の形状を溝の形態にしますと、噴出口の溝の長さを調節することにより、先端と根元の吹き出し風圧を調節することが出来ます。図２のような噴出口５の円形穴の場合、風圧を調整する為に噴出面積を大小に調節すると、小さい穴は簡単に詰まり、本要件を満たすことが出来なくなります。また本考案のように図３の噴出口７を溝状の吹き出し口にすることにより、空気の流れが図５本考案によるパイプ４の断面図の矢視９のように斜め方向になり噴出口７出口での抵抗が少なくなり、有機性廃棄物の泥濘化した付着物も付着し辛く穴詰まりの弊害も少なくなります。
【図面の簡単な説明】
【図１】  有機性廃棄物処理装置の醗酵層と空気の流れを示す図である。
【図２】  従来の撹拌翼と空気噴出口の拡大図である。
【図３】  本考案による空気の噴出口の拡大図である。
【図４】  従来の空気吹き出し口の空気の流れ断面図である。
【図５】  本考案による空気の噴出し口と空気の流れ断面図である。
【符号の説明】
１  空気加熱機
２  ブロアー
３  撹拌翼
４  空気送風パイプ
５  従来の空気噴出口
６  撹拌軸の回転方向矢視
７  本考案の空気噴出口
８  従来の空気の流れ状態の矢視
９  本考案の空気の流れ状態の矢視
【図１】
0003102722.tif 000003
【図２】
0003102722.tif 000004
【図３】
0003102722.tif 000005
【図４】
0003102722.tif 000006
【図５】
0003102722.tif 000007
【手続補正書】
【提出日】平成16年1月15日(2004.1.15)
【手続補正１】
【補正対象書類名】実用新案登録請求の範囲
【補正対象項目名】全文
【補正方法】変更
【補正の内容】
【実用新案登録請求の範囲】
【請求項１】
有機性廃棄物を醗酵させ有機堆肥に転換する為に垂直軸に取り付けられた撹拌翼の下部パイプより噴出させる温風噴出口を溝状にして、多数個、温風の流れ抵抗に比し順次並べたことを特徴とする有機廃棄物処理装置の撹拌翼の熱風噴出口。